(57)【要約】  携帯装置は、第１のシステムの処理を行なう第１処理回路と、前記第１のシステムと異なる第２のシステムの処理を行なう第２処理回路と、前記第１のシステムと前記第２のシステムとで共有される表示部と、前記第１処理回路に接続される入力部と、を備え、前記第１処理回路は、前記入力手段を前記第２のシステムへ仮想的に接続するインタフェース手段を有し、前記第２のシステムの使用中に前記第１のシステムを使用するイベントが発生した場合に、前記第１処理回路は前記インタフェース手段を切り離す。
2012120626.tif 000002
【特許請求の範囲】
【請求項１】
第１のシステムの処理を行なう第１処理回路と、
前記第１のシステムと異なる第２のシステムの処理を行なう第２処理回路と、
前記第１のシステムと前記第２のシステムとで共有される表示部と、
前記第１処理回路に接続される入力部と、
を備え、
前記第１処理回路は、前記入力部を前記第２のシステムへ仮想的に接続するインタフェース手段を有し、
前記第２のシステムの使用中に前記第１のシステムを使用するイベントが発生した場合に、前記第１処理回路は、前記インタフェース手段を切り離すことを特徴とする携帯装置。
【請求項２】
前記第１処理回路は、前記表示部における表示の切り替えを制御する表示制御部をさらに有し、
前記表示制御部は、前記イベントが発生した場合に、前記表示部における表示を前記第２システムの画面から前記第１システムの画面に切り替えることを特徴とする請求項１に記載の携帯装置。
【請求項３】
前記表示部は、前記第１処理回路からの第１映像信号と、前記第２処理回路からの第２映像信号を受信し、
前記イベントが発生した場合に、前記第１処理回路の前記表示制御部から、映像信号を切り替える切り替え制御信号を受信することを特徴とする請求項２に記載の携帯装置。
【請求項４】
前記第１処理回路は、前記第２のシステムの消費電力を制御する電力制御部をさらに有し、
前記省電力制御部は、前記イベントが発生した場合に、前記第２のシステムに対する省電力指令信号を生成し、当該省電力指令信号を前記第２のシステムに送信することを特徴とする請求項２に記載の携帯装置。
【請求項５】
前記省電力制御部は、前記イベントが発生した場合に、前記省電力指令信号の生成及び送信を前記イベントの発生から一定時間経過後に行なうことを特徴とする請求項４に記載の携帯装置。
【請求項６】
前記第１処理回路に接続されて前記第１のシステムで使用される通信プロセッサ、
をさらに備え、
前記イベントの発生は、前記通信用プロセッサによる着呼の検出であることを特徴とする請求項１〜５のいずれか１項に記載の携帯装置。
【請求項７】
前記第１のシステムと前記第２のシステムを切り替えるシステム切り替えスイッチ、
をさらに備え、
前記イベント発生後に前記システム切り替えスイッチが操作された場合に、前記第１処理回路は、前記インタフェース手段を復帰させることを特徴とする請求項１に記載の携帯装置。
【請求項８】
前記イベント発生後に前記システム切り替えスイッチが操作された場合に、前記第１処理回路の前記表示制御部は、前記表示部における表示を、前記第１システムの画面から前記第２システムの画面に切り替えることを特徴とする請求項７に記載の携帯装置。
【請求項９】
第１のシステムと第２のシステムが内蔵され１つの表示装置を共有する携帯装置において、前記第２のシステムが使用される場合に、前記第１のシステムの第１処理回路は、前記第１のシステムに接続された入力部を、前記第１のシステムを介して前記第２のシステムに対して仮想的に接続し、
前記第２のシステムの使用中に前記第１のシステムを使用するイベントが発生した場合に、前記第１処理回路は前記入力部を、前記第２のシステムから仮想的に切り離す、
ことを特徴とする携帯装置の制御方法。
【請求項１０】
前記イベントが発生した場合に、前記第１処理回路は、前記表示装置における表示を前記第２システムの画面から前記第１システムの画面に切り替える制御を行うことを特徴とする請求項９に記載の携帯装置の制御方法。
【請求項１１】
前記イベントが発生した場合に、前記第１処理回路は、前記第２のシステムに対する省電力指令信号を生成し、前記第２のシステムに送信することを特徴とする請求項１０に記載の携帯装置の制御方法。
【請求項１２】
前記イベントが発生した場合に、前記第１処理回路は、前記省電力指令信号の生成及び送信を前記イベントの発生から一定時間経過後に行なうことを特徴とする請求項１１に記載の携帯装置の制御方法。
【請求項１３】
前記第１のシステムは、前記携帯装置における着信を検出することによって、前記イベントの発生を検出することを特徴とする請求項９〜１２のいずれか１項に記載の携帯装置の制御方法。
【請求項１４】
前記イベント発生後に、前記第１のシステムと前記第２のシステムを切り替えるスイッチが操作された場合に、前記第１処理回路は、前記入力部を前記第２のシステムに対して仮想的に接続することを特徴とする請求項９に記載の携帯装置の制御方法。
【請求項１５】
前記イベント発生後に前記スイッチが操作された場合に、前記第１処理回路は、前記表示装置における表示を、前記第１システムの画面から前記第２システムの画面に切り替えることを特徴とする請求項１４に記載の携帯装置の制御方法。
【請求項１６】
表示装置を共有する第１のシステムと第２のシステムを内蔵する携帯装置にインストールされて、前記第１のシステムの処理回路に、以下の手順を行わせるコンピュータプログラム：
前記第２のシステムが使用される場合に、前記第１のシステムに接続されている入力部を前記第２のシステムに対して仮想的に接続させる手順；および
前記第２のシステムの使用中に前記第１のシステムを使用するイベントが発生した場合に、前記入力部を、前記第２のシステムから仮想的に切り離す手順。
【発明の詳細な説明】
【技術分野】
【０００１】
本発明は、携帯装置、携帯装置の制御方法、及び制御プログラムに関する。
【背景技術】
【０００２】
携帯端末の多機能化につれて、携帯端末内には通信用のＣＰＵの他に、アプリケーション用のＣＰＵが実装されている。２つのＣＰＵを搭載すると消費電力も増大する。そこで電力消費量を低減するために、画面表示の更新間隔に基づいてアプリケーションＣＰＵへの電力供給を増減する構成が知られている（たとえば、特許文献１参照）。【０００３】
他方、複数の異なる情報通信機器間で表示装置を共有するシステムが知られている。たとえば、１つの表示装置に、コンピュータ本体と、テレビジョンセットやビデオレコーダなどの外部機器を接続する。表示装置は、コンピュータ用のモニタ画面として使用されるととともに、テレビジョンやビデオプレーヤからの映像の表示画面として使用される。画面の切り替えは、一般にユーザによる切り替え操作によって行なわれる。画面切り替えの利便性と省電力性を高めるため、コンピュータ画面表示中の表示切り替え操作に応じて、表示装置が自動的にスタンドバイコマンドを生成してコンピュータ本体に送信する構成が提案されている（たとえば、特許文献２参照）。
【先行技術文献】
【特許文献】
【０００４】
【特許文献１】特開２００４−１２０６７１
【特許文献２】特開２００２−２０７４７２
【発明の概要】
【発明が解決しようとする課題】
【０００５】
１つの携帯装置内に異なる複数のシステムを内蔵する場合、表示手段を複数のシステム間で共有させることによって、装置の小型化を図ることができる。しかし、これを実現するためには、システム間での表示手段の切り替え制御が必要になる。また、発熱による装置の温度上昇や、消費電力量を低減する機能が必要になる。【０００６】
たとえば、携帯装置に、パーソナルコンピュータ（ＰＣ）システムと携帯（セルラ）システムを搭載した場合、ＰＣ機能の使用中に電子メールや音声通話の着信があることが想定される。この場合、携帯システムを優先して表示画面を携帯システム側に切り替えることが考えられる。表示画面の切り替えにより、ＰＣの画像は携帯装置の表示スクリーンには表示されないことになるが、ＰＣの機能は出力されたままになる。そのため、電力の無駄やＰＣ部の発熱、不要動作によるＰＣ部からのノイズ（電波放射）発生という問題が生じる。【０００７】
そこで、異なるシステムが内蔵された携帯装置でシステムが切り替えられたときに、電力増大、発熱、ノイズの発生を防止しつつ、システム間の切り替えを円滑に行なうことのできる携帯装置と制御方法の提供を課題とする。
【課題を解決するための手段】
【０００８】
第１の観点では、携帯装置は、
第１のシステムの処理を行なう第１処理回路第１処理回路と、
前記第１のシステムと異なる第２のシステムの処理を行なう第２処理回路と、
前記第１のシステムと前記第２のシステムとで共有される表示部と、
前記第１処理回路に接続される入力部と、
を備え、
前記第１処理回路は、前記入力部を前記第２のシステムへ仮想的に接続するインタフェース手段を有し、前記第２のシステムの使用中に前記第１のシステムを使用するイベントが発生した場合に、前記第１処理回路は、前記インタフェース手段を切り離す。【０００９】
第２の観点では、異なるシステムが内蔵された携帯装置の制御方法を提供する。この制御方法では、
第１のシステムと第２のシステムが内蔵され１つの表示装置を共有する携帯装置において、前記第２のシステムが使用される場合に、前記第１のシステムの第１処理回路は、前記第１のシステムに接続された入力部を、前記第１のシステムを介して前記第２のシステムに対して仮想的に接続し、
前記第２のシステムの使用中に前記第１のシステムを使用するイベントが発生した場合に、前記第１処理回路は前記入力部を、前記第２のシステムから仮想的に切り離す。【００１０】
第３の観点では、表示装置を共有する第１のシステムと第２のシステムを内蔵する携帯装置にインストールされて、前記第１のシステムのプロセッサに、以下の手順を行わせるコンピュータプログラムを提供する。【００１１】
前記第２のシステムが使用される場合に、前記第１のシステムに接続されている入力部を前記第２のシステムに対して仮想的に接続させる手順；および
前記第２のシステムの使用中に前記第１のシステムを使用するイベントが発生した場合に、前記入力部を、前記第２のシステムから仮想的に切り離す手順。
【発明の効果】
【００１２】
上述の構成によれば、異なるシステムが内蔵された携帯装置でシステムが切り替えられたときに、電力増大、発熱、ノイズの発生を防止しつつ、システム間の切り替えを円滑に行なうことができる。
【図面の簡単な説明】
【００１３】
【図１】本発明が適用される携帯装置の外観を示す図であり、キーボードを開いた状態の外観図である。
【図２】本発明が適用される携帯装置の外観を示す６面図であり、キーボードを閉じた状態の外観図である。
【図３】実施例に係る携帯装置のハードウエア構成図である。
【図４】実施例に係る携帯装置の機能ブロック図である。
【図５】実施例の携帯装置内部での各システムの動作を示すシーケンス図である。
【図６】別の実施例の携帯装置内部での各システムの動作を示すシーケンス図である。
【発明を実施するための形態】
【００１４】
本発明の具体的な実施の形態を、添付の図面を参照して説明する。実施例では、２つの異なるシステムを内蔵した携帯装置として、コンピュータシステム（ＰＣ機能）と、携帯システムを内蔵する携帯装置１を例にとって説明する。
【００１５】
図１及び図２は、携帯装置１の外観図である。図１は、キーボード操作面６を開いた状態での外観を示し、図２は、キーボード操作面６を閉じた状態での６面図である。携帯装置１は、表示スクリーン４を有する第１の筐体２と、キーボード操作面６を有する第２の筐体３を含む。キーボード操作面６を閉じた状態では、図２中央の上面図に示すように、キーボード操作面６は第１の筐体２により隠蔽され、表示スクリーン４が外側に向いている。
【００１６】
一例として、表示スクリーン４側の第１の筐体２に、携帯（セルラ）システム用の回路（携帯回路）と、システム切り替え回路を配置し、キーボード操作面６側の第２の筐体３に、コンピュータシステム用の回路（ＰＣ回路）を配置する。本実施例は、コンピュータシステムとしてパーソナルコンピュータ（以下、適宜「ＰＣ」と略称する）を例示する。もっとも、各システムおよびコンピュータシステムの種類は、この例に限定されるわけではない。
【００１７】
携帯回路を内蔵する第１の筐体２の側面には、システム切り替えスイッチ５が設けられている。ユーザは、システム切り替えスイッチ５を操作することによって、ＰＣ機能と携帯機能をマニュアルで切り替えることができる。なお、以下において、携帯装置１でＰＣ機能が使用されている状態をＰＣモード、携帯装置１で携帯機能が使用されている状態を携帯モードとも呼ぶ。携帯装置１では、システム切り替えスイッチ５の操作によるシステムの選択が優先される。システム切り替えスイッチの操作がない場合であって、ＰＣと携帯システムの動作が競合する場合、たとえば、ＰＣの使用中に携帯システムに音声またはデータの着信があった場合などは、携帯システムが優先される。
【００１８】
たとえば、ユーザが携帯装置１をＰＣとして使用している場合、表示スクリーン４には、入力作業に応じた画像が表示される。ここで、携帯装置１の携帯回路に着信があった場合、表示画面の切り替えが行われる。後述するように、実施例では、携帯回路が表示出力の切り替え制御を行う。ＰＣは、自身の画像信号が表示スクリーン４に出力されているかどうか判別できないため、自ら省電力状態に入ることができない。このことは、ユーザがシステム切り替えスイッチ５を操作して携帯装置１を携帯モードに移行した場合でも同様である。
【００１９】
そこで、実施例では、ＰＣ回路から携帯回路への切り替えが行われた場合に、携帯回路は、ＰＣ回路に対する省電力制御に先立って、ＰＣを省電力モードへの移行準備状態にする。具体的には、以下で詳述するように、入力装置を携帯回路側のみに接続しておき、ＰＣ使用時には、携帯回路が仮想入力デバイスとしてＰＣ回路に対する入力装置として動作する。この場合、携帯回路は入力装置に対する入力を受け、その入力に応じた信号をＰＣ回路側に送信する。ＰＣモードから携帯モードへのシステム切り替えの必要性が生じたときに、携帯回路は、例えば仮想入力デバイスとしての動作を停止するなどして、入力装置をＰＣ回路側から切り離す。これによりＰＣへの外部からの入力を遮断し、入力装置に対する入力操作に伴うＰＣ回路の動作変動を抑止することでＰＣ回路の動作を安定させる。その結果、ＰＣ部の動作に伴う電力増加や発熱、不要動作によるノイズ発生を抑制することができる。
【００２０】
図３は、携帯装置１のハードウエア構成図、図４は、携帯装置１の機能ブロック図である。図３において、携帯装置１は、携帯システム１０、ＰＣシステム２０、表示部（ＬＣＤ）３０、及び入力部４０を含む。本実施例は、表示部３０としてＬＣＤを例示する。しかしながら、表示部３０はそれに限定されるものではなく、他種の表示デバイスであってもよい。表示部（ＬＣＤ）３０は、携帯システム１０とＰＣシステム２０のそれぞれに接続されているが、表示部（ＬＣＤ）３０への映像（画像）信号入力の切り替えは、携帯システム１０によって行なわれる。入力部４０は、携帯システム１０に接続されている。
【００２１】
携帯システム１０は、携帯アプリケーションプロセッサ３７、通信用プロセッサ３９、ＲＡＭ（Ｒａｎｄｏｍ  Ａｃｃｅｓｓ  Ｍｅｍｏｒｙ）３８、ＵＳＢ（Ｕｎｉｖｅｒｓａｌ  Ｓｅｒｉａｌ  Ｂｕｓ）インタフェース３６、オーディオ部５６を含み、これらはバスによってデータ通信可能に相互に接続されている。携帯アプリケーションプロセッサ３７は、着信メロディ作成、携帯ゲームなどの携帯アプリケーションの処理のほか、後述するように、表示部３０への画像信号の切り替え、ＰＣシステム２０に対する入力部４０の仮想的な接続・切り離し、ＰＣシステム２０に対する省電力制御などを行う。
【００２２】
通信用プロセッサ３９は、通信プロトコルの処理やデータ信号の処理を行なう。携帯システム１０への音声着呼や電子メールの受信があった場合、通信用プロセッサ３９は携帯アプリケーションプロセッサ３７に着信を通知する。ＲＡＭ３８は、携帯アプリケーションプロセッサ３７や通信用プロセッサ３９による処理においてデータを一時格納するためのワークエリアを提供する。オーディオ部５６は、音響信号や音声を処理して出力する。
【００２３】
携帯システム１０は、携帯装置１に内蔵される第１のシステムの一例であり、携帯アプリケーションプロセッサ３７が、第１処理回路の一例である。
【００２４】
入力部４０は、たとえば、キーボード４１、トラックボール４２、タッチパネル４３、カメラ４４、ＧＰＳ（Ｇｌｏｂａｌ  Ｐｏｓｉｔｉｏｎｉｎｇ  Ｓｙｓｔｅｍ）４５、ＳＤ（Ｓｅｃｕｒｅ  Ｄｉｇｉｔａｌ）メモリカードスロット４６等を含む。入力部４０に含まれる各デバイス４１−４６は、携帯システム１０の携帯アプリケーションプロセッサ３７に接続されている。入力部４０の各デバイス４１−４６のサービスは、携帯システム１０のＵＳＢインタフェース３６を通して入力部４０を仮想化することによって、ＰＣシステム２０側へ提供される。なお、入力部４０は、例示した上述のデバイスに限定されるものではなく、それらのうちの一部のデバイスであってもよいし、上述デバイスとは種類が異なる他のデバイスであってもよい。
【００２５】
ＰＣシステム２０は、ＷＬＡＮ（Ｗｉｒｅｌｅｓｓ  ＬＡＮ）回路６１、ＲＡＭ（Ｒａｎｄｏｍ  Ａｃｃｅｓｓ  Ｍｅｍｏｒｙ）６２、ディスクドライブ６３、ＣＰＵ（Ｃｅｎｔｒａｌ  Ｐｒｏｃｅｓｓｉｎｇ  Ｕｎｉｔ）６４、電源回路６５、ＳＰＩ（Ｓｅｒｉａｌ  Ｐｅｒｉｐｈｅｒａｌ  Ｉｎｔｅｒｆａｃｅ）インタフェース６７、グラフィックコントローラ６８を含み、これらはバスによりデータ通信可能に相互に接続されている。ＷＬＡＮ回路６１はＰＣカードであってもよいし、アンプと一体化された回路であってもよい。ＲＡＭ６２は、主記憶装置としてＣＰＵ６４が実行するプログラムやデータの一時格納のためのワークエリアを提供する。ディスクドライブ６３は、補助記憶装置として各種メディアの読み書きを駆動する。ＣＰＵ６４は各デバイスの制御やデータの計算、加工を行う。
【００２６】
電源回路６５は、ＰＣシステム２０の各動作に必要な電力を生成する。電源回路６５は、携帯システム１０側の携帯アプリケーションプロセッサ３７に接続され、携帯アプリケーションプロセッサ３７から電源制御信号５０を受け取る。この電源制御信号５０に基づいて、ＰＣシステム２０電源回路６５はスタンバイ状態やその他の状態に移行し、必要に応じて省電力状態に移行することができる。
【００２７】
ＵＳＢ（Ｕｎｉｖｅｒｓａｌ  Ｓｅｒｉａｌ  Ｂｕｓ）インタフェース６６は、携帯アプリケーションプロセッサ３７のＵＳＢインタフェース３６を通して、入力部４０を仮想化してＰＣシステム２０側へ接続する。入力部４０は、ＰＣシステム２０と直接接続されていないが、ＰＣシステム２０からみると、作業時に入力部４０と接続するためのＵＳＢインタフェース３５およびアプリケーションプロセッサ３７を介して入力部４０が直接接続されているものとして認識される。後述するように、ＰＣシステム２０の使用中に携帯システム１０に着信があった場合、あるいはユーザがシステム切り替えスイッチ５を操作した場合は、アプリケーションプロセッサ３７によってＵＳＢインタフェース３５が切り離される。ＰＣシステム２０は、ＵＳＢインタフェース３５の切り離しを認識するわけではないが、アプリケーションプロセッサ３７がＰＣシステム２０側への入力デバイス４１−４６のサービスの提供を遮断することにより、以後はＰＣシステム２０への入力が行なわれない。これにより、ＰＣシステム２０の動作が安定し、ＰＣシステム２０での発熱、不要操作によるノイズ発生、消費電力の増大が防止される。
【００２８】
ＳＰＩインタフェース６７は、携帯アプリケーションプロセッサ３７との間で、信号線５５を介したシリアル伝送により制御信号を送受信する。たとえば、ＰＣシステム２０による映像信号は、グラフィックコントローラ６８から信号線３３によりＬＣＤ３０に出力されるが、その表示制御は、ＳＰＩインタフェース６７と信号線５５を介して、携帯システム１０側のアプリケーションプロセッサ３７経由で行なわれる。
【００２９】
グラフィックコントローラ６８は、信号線３３によって表示部（ＬＣＤ）３０に接続される。ＰＣシステム２０の映像信号は、グラフィックコントローラ６８から信号線３３を介してＬＣＤ３０に出力される。グラフィックコントローラ６８は、第２のシステムであるＰＣシステム２０側の第２処理回路に対応する。
【００３０】
携帯システム１０側の映像信号は、アプリケーションプロセッサ３７から出力され、信号線３４を介してＬＣＤ３０に出力される。ＬＣＤ３０は、携帯システム１０とＰＣシステム２０によって共有され、双方から映像信号を受け取る。しかし、いずれの映像信号を入力信号とするかは、アプリケーションプロセッサ３７が出力する映像切り替え制御信号５１に基づいて決定される。
【００３１】
このようなハードウエア構成に基づき、図４の機能ブロック図を参照して、さらに制御処理について説明する。携帯アプリケーションプロセッサ３７の表示・電力制御部１４は表示部３０の画面表示を制御する制御信号Ａ（画面表示制御信号）を生成、出力する。制御信号Ａは、表示部３０の制御入力部３１に入力されて、表示部３０の画面設定、バックライト消灯等を制御する。
【００３２】
表示・電力制御部１４はまた、表示部３０に表示する映像信号の切り替えを制御する制御信号Ｂ（映像切り替え信号）を生成し、出力する。制御信号Ｂは、表示部３０の映像信号切り替え部７１に入力される。表示部３０の映像信号切り替え部７１には、携帯アプリケーションプロセッサ３７の映像信号出力部１７から出力される映像信号Ｄと、ＰＣシステム２０の映像信号出力部２３から出力される映像信号Ｅも入力される。ＰＣシステム２０の映像信号出力部２３は、図３のグラフィックコントローラ６８の映像信号生成処理機能に対応する。
【００３３】
表示部３０の映像信号切り替え部７１は、携帯アプリケーションプロセッサ３７から入力される制御信号Ｂにしたがって、映像信号Ｅと映像信号Ｄのいずれを入力信号とすべきかを選択する。選択された信号は映像信号Ｆとして表示部３０の映像入力部３２に入力される。
【００３４】
携帯アプリケーションプロセッサ３７の通信インタフェース１６と、ＰＣシステム２０の表示・電源制御部２２の間では、制御信号Ｃが双方向シリアルバス上で送受信される。表示・電源制御部２２は、図３のグラフィックコントローラ６８とＳＰＩインタフェース６７の機能を含む。制御信号Ｃは、ＰＣシステム２０の表示用の制御信号、たとえば、ＰＣ画面のＯＮ／ＯＦＦや輝度を制御するための信号である。この制御信号Ｃは、携帯システム１０の携帯アプリケーションプロセッサ３７経由で、制御信号Ａとして表示部３０に入力される。
【００３５】
制御信号Ｃはまた、携帯アプリケーションプロセッサ３７からＰＣシステム２０に対する省電力制御信号としても使用される。省電力制御信号としての制御信号Ｃは、後述するように、ＰＣシステム２０から携帯システム１０へとシステムが切り替えられてから一定時間経過後に生成され、送信されてもよい。
【００３６】
携帯アプリケーションプロセッサ３７のＩ／Ｏインタフェース３５Ａと、ＰＣシステム２０のＩ／Ｏインタフェース３５Ｂの間で、制御信号Ｑが伝送される。Ｉ／Ｏインタフェース３５Ａ、３５Ｂは、図３に示すインタフェース３５を構成する。すなわち、入力装置４０の各種入力機能４１−４６は、携帯アプリケーションプロセッサ３７のＩ／Ｏインタフェース１８に接続され、ＰＣシステム２０には直接接続されていない。携帯システム１０の入力機能（キーボード４１、トラックボール４２、タッチパネル４３、カメラ４４、ＧＰＳ４５、ＳＤカードスロット４６など）は携帯アプリケーションプロセッサ３７の動作によって仮想化され、ＰＣシステム２０は、制御信号Ｑを用いてあたかも自システムの入力装置であるかのようにそれらを使用する。
【００３７】
ＰＣシステム２０で作業中に、システムを携帯システム１０側に切り替えるイベントが生じた場合、たとえば、携帯システム１０の通信用プロセッサ３９が着信を検出した場合、あるいは、システム切り替えスイッチ５がユーザにより操作されて携帯システム１０側への切り替え要求が入力された場合に、携帯アプリケーションプロセッサ３７は制御信号Ｑを切断する。この結果、ＰＣシステム２０のＩ／Ｏインタフェース３５Ｂに仮想的に接続されていた入力部４０は、ＰＣシステム２０と切り離される。以後の入力操作は、携帯システム１０に対する入力として扱われる。また、上記イベントの発生があると、表示・電力制御部１４は、制御信号Ｂを用いて映像信号切り替え部７１に映像信号の切り替えを指示する。これにより、表示部３０に入力される映像信号は、携帯アプリケーションプロセッサ３７からの映像信号Ｄに切り替えられる。
【００３８】
図５は、本発明の一実施例による携帯装置の制御プロセスを示すシーケンス図である。ステップＳ１０１で、携帯装置においてＰＣシステム２０が使用されている。この状態で、携帯システム１０は所定のイベントの発生を検出する（Ｓ１０２）。所定のイベントは、携帯への着信、システム切り替えスイッチ５の操作などである。イベント検出に応じて、携帯システム１０（すなわち携帯アプリケーションプロセッサ３７）は、ＰＣシステム２０の仮想入力デバイス４０の切り離しを行なう（Ｓ１０３）。この処理はＰＣシステム２０からは認識されないが、仮想入力デバイスの切り離しにより、ＰＣシステム２０に対する入力のない状態となる。この状態を、省電力制御への移行準備状態とする。すなわち、明示の省電力制御は行われていないが、ＰＣシステム２０への入力がなくなることで、ＰＣシステム２０の動作変動が抑止されて動作が安定し、ＰＣシステム２０の不要な動作による電波放射や発熱、ノイズ発生が抑制される。
【００３９】
携帯アプリケーションプロセッサ３７は、表示部（ＬＣＤ）３０の表示を、ＰＣシステム２０側から携帯システム１０側に切り替える（Ｓ１０４）。ステップＳ１０３の仮想入力デバイスの切り離しと、ステップＳ１０４の表示されるシステム映像の切り替えは、同時に行なわれてもよい。その後、携帯システム１０は、通話、着信の確認、電子メールの送信などの目的で使用される（Ｓ１０５）。携帯システム１０の使用が終わり、ＰＣシステム２０への切り替え要求が入力（すなわち、システム切り替え操作スイッチ５が操作）される（Ｓ１０６）。携帯アプリケーションプロセッサ３７は、インタフェース３５を接続することによって、入力デバイス４０を仮想的にＰＣシステム２０へと接続する（Ｓ１０７）。これにより、ＰＣシステム２０は通常動作に復帰する（Ｓ１０８）。以後、入力デバイス４０はＰＣシステム２０の入力装置であるかのように取り扱われる。
【００４０】
図５の方法の利点は、携帯システム１０に切り替えられた後に、比較的短時間のうちに再度ＰＣシステム２０に戻る場合、仮想入力デバイス４０をＰＣシステム２０側に接続して表示画面を切り替えるだけで、即座にＰＣシステム２０での作業に復帰できる点にある。仮に、システム切り替え時に省電力状態にされた場合、省電力状態からの復帰処理のための時間がかかってしまうからである。また、復帰まではＰＣシステム２０への無入力が確保されているため、ＰＣシステム２０からの不要電波の放射や発熱を抑制することができる。これによって、携帯システム１０は、ＰＣシステム２０からの不要電波の影響を受けることが抑制されることになり、安定した通信を行うことができる。
【００４１】
これについてさらに利便性と省電力性を高めるために、携帯システム１０の割り込み使用が一定時間以上になった場合に、携帯アプリケーションプロセッサ３７からＰＣシステム２０に電力制御信号（図４の制御信号Ｃ）を送ることが考えられる。
【００４２】
図６は、システム切り替え時の省電力制御のシーケンス図である。ステップＳ２０１で携帯装置においてＰＣシステム２０が使用されている。この状態で、携帯システム１０は所定のイベントの発生を検出する（Ｓ２０２）。所定のイベントは、携帯への着信、システム切り替えスイッチ５の操作などである。イベント検出に応じて、携帯システム１０（すなわち携帯アプリケーションプロセッサ３７）は、ＰＣシステム２０の仮想入力デバイス４０の切り離しを行なう（Ｓ２０３）。これにより、入力デバイス４０は仮想的にＰＣシステム２０から切り離され、ＰＣシステム２０は省電力制御への移行準備状態に入る。
【００４３】
携帯アプリケーションプロセッサ３７は、表示部（ＬＣＤ）３０の表示を、ＰＣシステム２０側から携帯システム１０側に切り替えて（Ｓ２０４）、タイマを開始する（Ｓ２０５）。仮想入力デバイス４０の切り離し（Ｓ２０３）、システム映像の切り替え（Ｓ２０４）、及びタイマ開始（Ｓ２０５）は、同時に行なわれてもよい。
【００４４】
携帯システム１０が、通話、着信の確認、電子メール等で使用される間（Ｓ２０６）、一定時間の経過がモニタされる（Ｓ２０７）。一定時間が経過した場合は（Ｓ２０７でＹＥＳ）、省電力への移行制御が行われる（Ｓ２０８）。すなわち、図４の携帯アプリケーションプロセッサ３７の表示・電力制御部１４にて省電力制御信号が生成され、通信インタフェース１６を介してＰＣシステム２０に送信される。ＰＣシステム２０の表示・電源制御部２２は、ＰＣシステム２０を省電力状態へと移行させる（Ｓ２０９）。このとき、ＰＣシステム２０は認識していないが、省電力への移行準備状態（入力なしの状態）から、省電力状態へ移行することになる。その後、一定間隔でウェイクアップするか、あるいは携帯アプリケーションプロセッサ３７からの指示を待つ（Ｓ２１０）。
【００４５】
携帯システム１０の使用が終わると、システム切り替えスイッチ５が操作されて、ＰＣシステム２０側へシステムが切り替えられる（Ｓ２１１）。携帯アプリケーションプロセッサ３７は、インタフェース３５を接続することによって、入力デバイス４０を仮想的にＰＣシステム２０へと接続する（Ｓ２１２）。これにより、入力デバイス４０をＰＣシステム２０の入力デバイスとして使用することができるようになる。なお、ＰＣシステム２０のオペレーションシステムが自律的に省電力動作する場合は、タイマのタイムアップ時間を、ＰＣシステム２０の自律省電力機能の設定よりも短くしてもよい。
【００４６】
上述した携帯アプリケーションプロセッサの動作をコンピュータプログラムにて実現することができる。その場合は、コンピュータプログラムは携帯アプリケーションプロセッサ３７に次の手順を行なわせる。すなわち、(i)ＰＣシステム２０が使用される場合に、携帯アプリケーションプロセッサ３７に接続されている入力部４０をＰＣシステム２０に対して仮想的に接続させる手順と、(ii)ＰＣシステム２０の使用中に携帯システム１０を使用するイベントが発生した場合に入力部４０をＰＣシステム２０から切り離す手順、を行なわせる。
【００４７】
以上説明した構成と機能により、システムごとの制御信号を増加させずに切り替え制御を行いつつ、発熱とノイズ発生を抑制することができる。また、携帯システム１０の割り込み動作が短時間の場合のＰＣシステム２０への動作復帰を、迅速に行なうことができる。また、システム間での動作復帰のタイミングを考慮しつつ、省電力制御をすることができる。
【００４８】
なお、本実施例においては、携帯システム１０およびＰＣシステム２０が動作する処理回路をそれぞれプロセッサとして例示したが、これに限られるものではない。例えば、ＦＰＧＡ（Ｆｉｅｌｄ−Ｐｒｏｇｒａｍｍａｂｌｅ  Ｇａｔｅ  Ａｒｒａｙ）や他のハードウェアロジックなどの処理回路であってもよい。
【産業上の利用可能性】
【００４９】
同一装置内に内蔵された２以上の異なるシステムで表示装置を共用する場合の切り替え制御に適用可能である。
【符号の説明】
【００５０】
１  携帯装置
５  システム切り替えスイッチ
１０  携帯システム（第１のシステム）
２０  ＰＣシステム（第２のシステム）
３０  表示部（ＬＣＤ）
３５、３５Ａ、３５Ｂ  インタフェース
３７  携帯アプリケーションプロセッサ（第１処理回路）
３９  通信用プロセッサ
４０  入力部
６５  電源回路
６８  グラフィックコントローラ（第２処理回路）
【図１】
2012120626.tif 000003
【図２】
2012120626.tif 000004
【図３】
2012120626.tif 000005
【図４】
2012120626.tif 000006
【図５】
2012120626.tif 000007
【図６】
2012120626.tif 000008
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
第１のシステムの処理を行なう第１処理回路と、
前記第１のシステムと異なる第２のシステムの処理を行なう第２処理回路と、
前記第１のシステムと前記第２のシステムとで共有される表示部と、
前記第１処理回路に接続される入力部と、
を備え、
前記第１処理回路は、前記入力部を前記第２のシステムへ仮想的に接続するインタフェース手段を有し、
前記第２のシステムの使用中に前記第１のシステムを使用するイベントが発生した場合に、前記第１処理回路は、前記インタフェース手段を切り離すことを特徴とする携帯装置。
【請求項２】
前記第１処理回路は、前記表示部における表示の切り替えを制御する表示制御部をさらに有し、
前記表示制御部は、前記イベントが発生した場合に、前記表示部における表示を前記第２システムの画面から前記第１システムの画面に切り替えることを特徴とする請求項１に記載の携帯装置。
【請求項３】
前記第１処理回路は、前記第２のシステムの消費電力を制御する電力制御部をさらに有し、
前記省電力制御部は、前記イベントが発生した場合に、前記第２のシステムに対する省電力指令信号を生成し、当該省電力指令信号を前記第２のシステムに送信することを特徴とする請求項２に記載の携帯装置。
【請求項４】
前記第１のシステムと前記第２のシステムを切り替えるシステム切り替えスイッチ、
をさらに備え、
前記イベント発生後に前記システム切り替えスイッチが操作された場合に、前記第１処理回路は、前記インタフェース手段を復帰させることを特徴とする請求項１に記載の携帯装置。
【請求項５】
第１のシステムと第２のシステムが内蔵され１つの表示装置を共有する携帯装置において、前記第２のシステムが使用される場合に、前記第１のシステムの第１処理回路は、前記第１のシステムに接続された入力部を、前記第１のシステムを介して前記第２のシステムに対して仮想的に接続し、
前記第２のシステムの使用中に前記第１のシステムを使用するイベントが発生した場合に、前記第１処理回路は前記入力部を、前記第２のシステムから仮想的に切り離す、
ことを特徴とする携帯装置の制御方法。
【請求項６】
前記イベントが発生した場合に、前記第１処理回路は、前記表示装置における表示を前記第２システムの画面から前記第１システムの画面に切り替える制御を行うことを特徴とする請求項５に記載の携帯装置の制御方法。
【請求項７】
前記イベント発生後に、前記第１のシステムと前記第２のシステムを切り替えるスイッチが操作された場合に、前記第１処理回路は、前記入力部を前記第２のシステムに対して仮想的に接続することを特徴とする請求項５に記載の携帯装置の制御方法。
【請求項８】
表示装置を共有する第１のシステムと第２のシステムを内蔵する携帯装置にインストールされて、前記第１のシステムの処理回路に、以下の手順を行わせるコンピュータプログラム：
前記第２のシステムが使用される場合に、前記第１のシステムに接続されている入力部を前記第２のシステムに対して仮想的に接続させる手順；および
前記第２のシステムの使用中に前記第１のシステムを使用するイベントが発生した場合に、前記入力部を、前記第２のシステムから仮想的に切り離す手順。
【国際調査報告】
2012120626.tif 000009
2012120626.tif 000010